(57)【要約】【課題】追焚運転時において、浴槽内の湯水が一定量以上循環しているか否かを精度よく検出することができる燃焼機器を提供する。【解決手段】追焚運転が開始されると、駆動回路により循環ポンプを駆動し、回転数検出手段が検出した回転数が回転数基準値以下であるか否かを判定し、回転数検出手段が検出した回転数が回転数基準値以下であると判定した場合、温度検出手段が検出した浴槽循環水の往き温度と戻り温度の差を算出し、算出された差が第１の温度基準値と第２の温度基準値の範囲内であるか否かを判定し、算出された差が第１の温度基準値と第２の温度基準値の範囲内である場合には、浴槽内の湯水が一定量以上循環していると判断する。【選択図】図１
2010156480.tif 000002
【特許請求の範囲】
【請求項１】
給水配管接続部から供給された水および浴槽内の湯水を加熱する燃焼部と、
浴槽内の湯水を強制循環させる循環ポンプと、
循環ポンプに所定の電圧を印加し駆動させる駆動回路と、
循環ポンプの回転数を検出する回転数検出手段と、
浴槽循環経路内に浴槽循環水の往き、戻り温度を検出する温度検出手段を備えた燃焼機器において、
前記循環ポンプの回転数の基準値である回転数基準値と、第１の温度基準値と、前記第１の温度基準値より高い基準値である第２の温度基準値とを記憶する記憶手段と、
追焚運転が開始されると、前記駆動回路により循環ポンプを駆動し、前記回転数検出手段が検出した回転数が前記回転数基準値以下であるか否かを判定する第１の判定手段と、
前記第１の判定手段が、前記回転数検出手段が検出した回転数が回転数基準値以下であると判定した場合、ふろ燃焼を行い、前記温度検出手段が検出した浴槽循環水の往き温度と戻り温度の差を算出し、算出された差が前記第１の温度基準値と前記第２の温度基準値の範囲内であるか否かを判定し、算出された差が前記第１の温度基準値と前記第２の温度基準値の範囲内である場合には、浴槽内の湯水が一定量以上循環していると判断する第２の判定手段と、
を有することを特徴とする燃焼機器。
【請求項２】
給水配管接続部から供給された水および浴槽内の湯水を加熱する燃焼部と、
浴槽内の湯水を強制循環させる循環ポンプと、
循環ポンプに所定の電圧を印加し駆動させる駆動回路と、
循環ポンプの回転数を検出する回転する回転数検出手段と、
浴槽循環経路内に浴槽循環水の往き、戻り温度を検出する温度検出手段を備えた燃焼機器において、
前記循環ポンプの回転数の基準値である回転数基準値と、第１の温度基準値と、前記第１の温度基準値より高い基準値である第２の温度基準値とを記憶する記憶手段と、
追焚運転が開始されると、前記駆動回路により循環ポンプを駆動し、前記回転数検出手段が検出した回転数が前記回転数基準値以下であるか否かを判定する第１の判定手段と、
前記第１の判定手段が、前記回転数検出手段が検出した回転数が回転数基準値以下であると判定した場合、ふろ燃焼を行い、前記温度検出手段が検出した浴槽循環水の往き温度、または戻り温度が前記第１の温度基準値と前記第２の温度基準値の範囲内であるか否かを判定し、前記浴槽循環水の往き温度、または戻り温度が前記第１の温度基準値と前記第２の温度基準値の範囲内である場合には、浴槽内の湯水が一定量以上循環していると判定する第２の判定手段と、
を有することを特徴とする燃焼機器。
【請求項３】
前記記憶手段は、回転数基準値として、第１の回転数基準値と前記第１の回転数基準値より大きい第２の回転数基準値とを記憶しており、
前記燃焼機器は、
前記循環ポンプの回転数を検出する手段により検出した回転数の検出値が前記第１の回転数基準値と前記第２の回転数基準値との範囲内であるか否かを判定し、前記回転数の検出値が前記第１の回転数基準値と前記第２の回転数基準値との範囲内である場合に、前記第１の判定手段による判定を行う第３の判定手段を有する
ことを特徴とする請求項１または請求項２記載の燃焼機器。
【発明の詳細な説明】
【技術分野】
【０００１】
本発明は、浴槽内の湯水を循環させ、追い焚きする機能を備えた燃焼機器に関する。
【背景技術】
【０００２】
浴槽内の湯水を循環させて追い焚きする燃焼機器は、浴槽循環経路内に水流スイッチを備えた燃焼機器が一般的である。図２に示すように、給水配管接続部から供給された水および浴槽内の湯水を加熱する燃焼部と、浴槽内の湯水を強制循環させる循環ポンプと、循環ポンプに所定の電圧を印加し駆動させる制御部と、循環水を検知する水流スイッチと、浴槽からの循環水の戻り温度を検出するサーミスタが設けられている。水流スイッチは、浴槽からの循環水の有無を水流により判定するセンサである。
【０００３】
従来のふろ燃焼の際のフローチャートを図３に示す。従来の燃焼機器は、追焚スイッチが使用者により押されると、燃焼機器内の制御部から循環ポンプに所定の電圧が印加される。循環ポンプが駆動し、浴槽内にある一定以上の循環水が有る場合、循環ポンプにより浴槽内の水を循環させ、浴槽循環経路内に設けた水流スイッチが水流を検知する。また、ある一定以上の循環水が無い場合、浴槽循環経路内に設けた水流スイッチにより水流を検知できず、循環ポンプを停止し、追焚運転を停止する。水流スイッチが水流を検知しＯＮ状態になった場合、浴槽循環経路内に設けた循環水の戻り温度を検出するサーミスタにより浴槽からの循環水の戻り温度Ｔｉを検知し、浴槽からの循環水の戻り温度Ｔｉが設定温度よりも低い場合は、燃焼ガスが燃焼部へ供給されてふろ燃焼を行う。そして、浴槽からの循環水の戻り温度Ｔｉが設定温度に達するとふろ燃焼を停止し、循環ポンプも停止して追焚運転が終了する。従来の燃焼機器は、浴槽内の循環水の有無の判定には、浴槽循環経路内に設けた水流スイッチにより水流を検知するか否かにより判定しているのが一般的であった。
【０００４】
また、特許文献１には、追い焚き回路に設けた循環ポンプの回転数から浴槽内の湯水の有無を判定する風呂装置が考えられている。特許文献１に示す風呂装置は、浴槽内の湯水を循環させる循環ポンプと、循環ポンプの回転数を検知する検知手段と、電圧記憶手段により構成されている。この装置の浴槽内の循環水の有無の判定方法は、浴槽内の湯水が所定量以下である条件下で循環ポンプを所定の回転数で回転させるのに要する印加電圧を電圧記憶手段に記憶させ、浴槽内の循環水の有無を判定する際に記憶された電圧を循環ポンプに印加して循環ポンプを運転し、そのときの循環ポンプの回転数を回転数検知手段により検出し、その値が試験回転数よりも低い所定の基準回転数以下である場合に浴槽内に湯水が有ると判定している。
【特許文献１】特開２００６−３００３５８号公報
【発明の開示】
【発明が解決しようとする課題】
【０００５】
従来の水流スイッチを用いた浴槽内の循環水の有無を判定する方法は、水流スイッチが髪の毛等のゴミつまりにより水流を検知した状態（ＯＮ状態）で故障した場合、または何れかの理由により水流を検知した状態（ＯＮ状態）で故障した場合でも、燃焼機器は浴槽内に循環水が有ると判定し、ふろ燃焼を行い空焚き状態となる。そして、燃焼機器内に設けた安全装置が作動するまで燃焼を継続する可能性がある。
【０００６】
特許文献１に示す方法では、循環ポンプ内で髪の毛等のゴミつまりにより回転数が基準回転数よりも低くなる場合や、回転数検知部が何らかの理由により故障し、回転数を実際よりも低く誤検知した場合には、風呂装置は浴槽内に循環水があると判定し、ふろ燃焼を行い、空焚きもしくは循環水が少ない場合には所定の温度よりも高い温度の湯が浴槽に流れる可能性がある。
【０００７】
また、ゴミつまり等により浴槽循環経路が閉塞された場合、浴槽循環経路内には循環水が有るため循環ポンプは、基準回転数以下で運転する。しかし、浴槽経路内に循環水があっても浴槽循環経路内の湯水が循環していないため、熱交換器内では沸騰する温度まで加熱される可能性がある。
【０００８】
本発明は、このような事情に鑑みてなされたもので、その目的は、追焚運転時において、浴槽内の湯水が一定量以上循環しているか否かを精度よく検出することができる燃焼機器を提供することにある。
【課題を解決するための手段】
【０００９】
上述した課題を解決するために、本発明は、給水配管接続部から供給された水および浴槽内の湯水を加熱する燃焼部と、浴槽内の湯水を強制循環させる循環ポンプと、循環ポンプに所定の電圧を印加し駆動させる駆動回路と、循環ポンプの回転数を検出する回転数検出手段と、浴槽循環経路内に浴槽循環水の往き、戻り温度を検出する温度検出手段を備えた燃焼機器において、前記循環ポンプの回転数の基準値である回転数基準値と、第１の温度基準値と、前記第１の温度基準値より高い基準値である第２の温度基準値とを記憶する記憶手段と、追焚運転が開始されると、前記駆動回路により循環ポンプを駆動し、前記回転数検出手段が検出した回転数が前記回転数基準値以下であるか否かを判定する第１の判定手段と、前記第１の判定手段が、前記回転数検出手段が検出した回転数が回転数基準値以下であると判定した場合、ふろ燃焼を行い、前記温度検出手段が検出した浴槽循環水の往き温度と戻り温度の差を算出し、算出された差が前記第１の温度基準値と前記第２の温度基準値の範囲内であるか否かを判定し、算出された差が前記第１の温度基準値と前記第２の温度基準値の範囲内である場合には、浴槽内の湯水が一定量以上循環していると判断する第２の判定手段と、を有する。
【００１０】
請求項２に記載の発明では、給水配管接続部から供給された水および浴槽内の湯水を加熱する燃焼部と、浴槽内の湯水を強制循環させる循環ポンプと、循環ポンプに所定の電圧を印加し駆動させる駆動回路と、循環ポンプの回転数を検出する回転する回転数検出手段と、浴槽循環経路内に浴槽循環水の往き、戻り温度を検出する温度検出手段を備えた燃焼機器において、前記循環ポンプの回転数の基準値である回転数基準値と、第１の温度基準値と、前記第１の温度基準値より高い基準値である第２の温度基準値とを記憶する記憶手段と、追焚運転が開始されると、前記駆動回路により循環ポンプを駆動し、前記回転数検出手段が検出した回転数が前記回転数基準値以下であるか否かを判定する第１の判定手段と、前記第１の判定手段が、前記回転数検出手段が検出した回転数が回転数基準値以下であると判定した場合、ふろ燃焼を行い、前記温度検出手段が検出した浴槽循環水の往き温度、または戻り温度が前記第１の温度基準値と前記第２の温度基準値の範囲内であるか否かを判定し、前記浴槽循環水の往き温度、または戻り温度が前記第１の温度基準値と前記第２の温度基準値の範囲内である場合には、浴槽内の湯水が一定量以上循環していると判定する第２の判定手段と、を有する。
【００１１】
上述した構成によれば、循環ポンプが髪の毛等のゴミつまりにより回転数が基準回転数よりも低くなる場合や、回転数検知部が何らかの理由により故障し、回転数を実際よりも低く誤検知した場合、さらには追焚配管の閉塞により、循環水が一定量以下の場合においても、浴槽循環経路内に浴槽循環水の往き、および戻り温度を検出する手段により検出した浴槽循環水の往き温度と戻りの温度の差、もしくは、浴槽循環水の往き温度、または戻り温度により浴槽内の湯水が一定量以上循環しているか否かを判定しているため、空焚きや高温の湯が浴槽に流れてしまうことを防止することができる。
【００１２】
請求項３に記載の発明では、上述した燃焼機器において、前記記憶手段は、回転数基準値として、第１の回転数基準値と前記第１の回転数基準値より大きい第２の回転数基準値とを記憶しており、前記燃焼機器は、前記循環ポンプの回転数を検出する手段により検出した回転数の検出値が前記第１の回転数基準値と前記第２の回転数基準値との範囲内であるか否かを判定し、前記回転数の検出値が前記第１の回転数基準値と前記第２の回転数基準値との範囲内である場合に、前記第１の判定手段による判定を行う第３の判定手段を有することを特徴とする。
【００１３】
また、この構成によれば、循環ポンプが髪の毛等のゴミつまりにより回転数が基準回転数よりも低くなる場合や、回転数検知部が何らかの理由により故障し、回転数を実際よりも低く誤検知した場合でも、循環ポンプの回転数を検出する手段により検出した循環ポンプの回転数Ｒの検出値の振れ幅により浴槽内の湯水の有無を判定し、さらに浴槽循環水の往き温度と戻りの温度の差、もしくは、浴槽循環水の往き温度、または戻り温度により浴槽内の湯水が一定量以上循環していると判定するため、上記発明と同様に空焚きや高温の湯が浴槽に流れてしまうことを防止することができる。
【発明の効果】
【００１４】
以上説明したように、この発明によれば、循環ポンプが何らかの理由により回転数が基準回転数よりも低くなる場合や、何らかの理由により循環ポンプの回転数の検出が正しく行うことができない場合であっても、浴槽循環経路内に浴槽循環水の往き、および戻り温度を検出する手段により検出した浴槽循環水の往き温度と戻りの温度の差、もしくは、浴槽循環水の往き温度、または戻り温度により浴槽内の湯水が一定量以上循環しているか否かを判定するようにしたので、追焚運転時において、浴槽内の湯水が一定量以上循環しているか否かを精度よく検出することができる。
【００１５】
また、本発明によれば、検出した回転数の検出値が第１の回転数基準値と第２の回転数基準値との範囲内であるか否かを判定し、回転数の検出値が第１の回転数基準値と第２の回転数基準値との範囲内であるか否かの判定を行うようにした。これにより、循環ポンプの回転数が不安定であるか否かを基に、浴槽内の湯水が一定量以上循環しているか否かを把握することができる。
【発明を実施するための最良の形態】
【００１６】
以下、本発明の実施の形態について図面を用いて説明する。図１は、本発明の一実施例である燃焼機器本体１の概略図を示す。
燃焼機器の給水配管接続部２は、熱交換器４の給湯用の入口に配管接続される。本実施形態における熱交換器４は、給湯熱交換器と追焚熱交換器が一体化され、これらを加熱する共通の燃焼部５を備えた―缶二水路方式であるが、給湯、およびふろ燃焼ができるものであればよく、上記―缶二水路方式の熱交換器に限定されるものではない。
【００１７】
熱交換器４の給湯用の出ロは、給湯配管接続部３に配管接続される。風呂往き配管接続部７は、循環往き配管１６により熱交換器４の風呂往き接続口に配管接続される。この循環往き配管１６の途中に浴槽１１へ往く循環水の温度を検知する往サーミスタ９が設けられる。熱交換器４の風呂戻り接続口は、循環ポンプ６を介して、循環戻り配管１７により風呂戻り配管接続部８に配管接続される。風呂往き配管接続部７は、風呂往き配管１９を介して浴槽１１に配管接続され、さらに風呂戻り配管接続部８は、風呂戻り配管２０を介して浴槽１１と配管接続される。
【００１８】
本実施形態における循環ポンプ６は、回転数出力を得られる直流ポンプであるが、回転数を検知できるものであればよく、上記直流ポンプに限定されるものではない。この循環戻り配管１７の途中に、浴槽１１からの戻りの循環水の温度を検知する戻サーミスタ１０が配置される。また、上記燃焼機器には、燃焼機器の各部を制御する制御部１２と、循環ポンプ６に所定の電圧を印加する駆動回路１２０と循環ポンプ６の回転数を検知する回転数検知センサ１３が設けられる。回転数を検知する回転数検知センサ１３は、循環ポンプ６内の回転部に設けられた磁石の磁気を検知するホールＩＣなどが一般的に用いられるが、回転数Ｒを検知できるものであればよく、ホールＩＣに限定されるものではない。
【００１９】
給湯燃焼は、給水配管接続部２から水が供給された際に、燃焼機器に供給された燃焼ガスが燃焼部５へ供給され、燃焼部５で燃焼することにより高温の燃焼ガスを発生させる。給水配管接続部２から供給された水は、給水配管１４を通り熱交換器４内で上記高温の燃焼ガスと熱交換し、給湯配管１５を通り給湯配管接続部３を介して、燃焼機器から設定温度の湯として燃焼機器の２次側に接続される水栓等に供給される。
【００２０】
ふろ燃焼は、浴槽１１内に湯水がある場合に、燃焼機器に供給された燃焼ガスが燃焼部５へ供給され、燃焼部５で燃焼することにより高温の燃焼ガスを発生させる。風呂戻り配管接続部８に浴槽１１から風呂戻り配管２０を介して湯水が供給され、循環戻り配管１７、循環ポンプ６を介して熱交換器４内で上記高温の燃焼ガスと熱交換する。熱交換し加熱された湯は、循環往き配管１６、風呂往き配管接続部７を通り、風呂往き配管１９を介して、燃焼機器から浴槽１１へ加熱された湯を供給する。
【００２１】
図４は、追焚運転の際の浴槽１１内に湯水が一定量以上循環しているか否かを判定する動作を示すフローチャートである。ここでは、往サーミスタ９、戻サーミスタ１０は、それぞれ温度を検出し、検出結果を制御部１２に出力する。
【００２２】
追焚スイッチが使用者によって押されると（ステップＳ１１０）、燃焼機器内の制御部１２の駆動回路１２０は、循環ポンプ６に所定の電圧が印加し、循環ポンプ６を駆動させる（ステップＳ１１１）。循環ポンプ６が駆動すると、回転数検知センサ１３は、循環ポンプ６の回転数を検出し、検出結果を制御部１２に出力する。制御部１２は、回転数検知センサ１３から出力されたポンプの回転数と、自身に設けられたメモリ内に記憶された基準回転数とを比較し（ステップＳ１１２）、循環ポンプ６の回転数が基準回転数よりも高い場合、循環ポンプ６を停止し（ステップＳ１２０）、追焚運転を停止する（ステップＳ１２１）。
【００２３】
一方、循環ポンプ６の回転数が基準回転数よりも低い場合、制御部１２は、循環戻り配管１７に設けられた循環水の戻り温度を検知する戻サーミスタ１０によって浴槽１１からの戻り温度Ｔｉを検知する。そして、制御部１２は、戻り温度Ｔｉと自身に設けられたメモリ内に記憶された設定温度とを比較し（ステップＳ１１３）、浴槽１１からの戻り温度Ｔｉが設定温度よりも低い揚合は、燃焼ガスを燃焼部５へ供給し、ふろ燃焼（追焚運転）を行う（ステップＳ１１４）。この追焚運転を行っている際に浴槽１１内の湯水が一定量以上循環しているか否かを次に示す第１〜３の方法のうち、いずれかの方法により判定を行う。
【００２４】
まず、第１の方法は、浴槽循環水の往き温度Ｔｏと戻り温度Ｔｉの差を用いて湯水が一定量以上循環しているか否かを判定する方法である。
図７は、ふろ燃焼の際の浴槽循環水の往き温度Ｔｏと戻り温度Ｔｉの差と時間の関係を示す。上述のふろ燃焼中に、循環往き配管１６に設けた往サーミスタ９により浴槽１１へ往く循環水の往き温度Ｔｏを検知する。浴槽１１へ往く循環水の往き温度Ｔｏは、ふろ燃焼を行っているので熱交換器４内で高温の燃焼ガスと熱交換することで加熱されるため温度上昇していく。また、循環戻り配管１７途中に設けた戻サーミスタ１０により浴槽１１からの戻り温度Ｔｉを検知する。浴槽１１からの戻り温度Ｔｉは、風呂往き配管１９を介して供給される加熱された湯が浴槽１１内で混合されて燃焼機器に戻ってくるため浴槽１１へ往く循環水の往き温度Ｔｏよりも低くなる。ここで、制御部１２は、浴槽１１へ往く循環水の往き温度Ｔｏと浴槽１１からの戻り温度Ｔｉの差を演算し、その差が図７に示すように予め定めた一定の範囲内（制御部１２の内部に設けられたメモリ内に記憶されている値である基準値Ｔ１より高く、基準値Ｔ２よりも低い範囲）であるか否かを判断する（ステップＳ１１５）。その差が予め定めた一定の範囲内である場合には、制御部１２は、湯水が一定量循環水していると判断し、ふろ燃焼を継続する。そして、制御部１２は、ふろ燃焼中に浴槽１１からの戻り温度Ｔｉが設定温度に到達したか否かを判定し（ステップＳ１１６）、戻り温度Ｔｉが設定温度に到達していない場合にはステップＳ１５に戻り、戻り温度Ｔｉが設定温度に到達した場合は、ふろ燃焼を停止し（ステップＳ１１７）、循環ポンプ６も停止させる（ステップＳ１１８）。
【００２５】
次に第２の方法について図面を用いて説明する。図５は、第２の方法における制御部１２の動作を説明するフローチャートである。この図５のステップＳ２１０からステップＳ２１４、ステップＳ２２１、ステップＳ２２２は、図４のステップＳ１１０からステップ１１４、ステップＳ１２０、ステップ１２１と同様であるので、その説明を省略する。
【００２６】
第２の方法では、浴槽循環水の往き温度Ｔｏ、または戻り温度Ｔｉを用いて湯水が一定量以上循環しているか否かを判定する方法である。図８にふろ燃焼の際の浴槽循環水の往き温度Ｔｏ、および戻り温度Ｔｉと時間の関係を示す。
上述のふろ燃焼中に、制御部１２は、循環往き配管１６途中に設けられた往サーミスタ９により浴槽１１へ往く循環水の往き温度Ｔｏを検知する。浴槽１１へ往く循環水の往き温度Ｔｏは、ふろ燃焼を行っているので熱交換器４内で高温の燃焼ガスと熱交換することで加熱されるため温度上昇していく。また、制御部１２は、循環戻り配管１７途中に設けた戻サーミスタ１０により浴槽１１からの戻り温度Ｔｉを検知する。浴槽１１からの戻り温度Ｔｉも、加熱された湯が浴槽１１内で混合され燃焼機器に戻ってくるため、ふろ燃焼を続けていると徐々に上昇していく。ここで、制御部１２は、浴槽１１へ往く循環水の往き温度Ｔｏ、または浴槽１１からの戻り温度Ｔｉの検出値が図８に示すように予め定めた一定の範囲内（制御部１２の内部に設けられたメモリ内に記憶されている値である基準値Ｔ３より高く、基準値Ｔ４よりも低い）であるか否かを判断する（ステップＳ２１５）。予め定めた一定の範囲内である場合には、制御部１２は、湯水が一定量以上循環していると判断し、ふろ燃焼を継続する。そして制御部１２は、ふろ燃焼中に浴槽１１からの戻り温度Ｔｉが設定温度に到達したか否かを判定し（ステップＳ２１６）、戻り温度Ｔｉが設定温度に到達していない場合には、ステップＳ２１５に戻り、戻り温度Ｔｉが設定温度に到達した場合は、ふろ燃焼を停止し（ステップＳ２１７）、循環ポンプ６も停止させる（ステップＳ２１８）。
【００２７】
次に、第３の方法について図面を用いて説明する。図６は、第３の方法における制御部１２の動作を説明するフローチャートである。この図６のステップＳ３１０からステップＳ３１２、ステップＳ３２０、ステップＳ３２１は、図４のステップＳ１０からステップ１２、ステップＳ２１、ステップ２２と同様であるので、その説明を省略する。
【００２８】
第３の方法では、循環ポンプ６の回転数Ｒの検出値の振れ幅を用いて循環水の有無を判定し、さらに浴槽循環水の往き温度Ｔｏと戻り温度Ｔｉの差、もしくは、浴槽循環水の往き温度Ｔｏ、または戻り温度Ｔｉを用いて、湯水が一定量以上の循環をしているか否かを判定する方法である。図９に循環ポンプが駆動している際の浴槽循環水が無い場合（図９（ａ））と有る場合（図９（ｂ））の循環ポンプ６の回転数Ｒと時間の関係を示す。
図９（ａ）に示すように循環径路内に循環水が無い場合は、循環ポンプ６が循環ポンプ６内の残水と空気を巻き込みながら回転するため循環ポンプ６の回転数Ｒは安定せず変動している。
一方、図９（ｂ）に示すように循環径路内に循環水がある場合は、回転数Ｒがある一定値近傍の値を示しており、ほぼ安定している。そこで、第３の方法では、制御部１２は、燃焼機器内の制御部１２の駆動回路１２０から所定の電圧を印加された循環ポンプ６の回転数Ｒを検出し、検出した循環ポンプ６の回転数Ｒと基準回転数とを比較する（ステップＳ３１２）。制御部１２は、検出した循環ポンプ６の回転数Ｒが基準回転数よりも低い場合、循環ポンプ６の回転数Ｒの検出値が図９に示すように予め定めた一定の範囲内（制御部１２の内部に設けられたメモリ内に記憶されている値である基準値Ｒｍｉｎより高く基準値Ｒｍａｘより低い）であるか否かを判定する（ステップＳ３１３）。
【００２９】
予め定めた一定の範囲内である場合、制御部１２は、浴槽内に湯水が有ると判断し、浴槽１１からの戻り温度Ｔｉと設定温度とを比較する（ステップＳ３１４）。浴槽１１からの戻り温度Ｔｉが設定温度よりも低い揚合は、制御部１２は、燃焼ガスを燃焼部５へ供給し、ふろ燃焼を行う（ステップ３１５）。そして、制御部１２は、ふろ燃焼中に上述の第１、２の方法で説明したように、浴槽１１へ往く循環水の往き温度Ｔｏと浴槽１１からの戻り温度Ｔｉの差を演算し、その差が図７に示すように予め定めた一定の範囲内であるか否かを判断する（ステップＳ３１６）。この判断結果において、制御部１２は、図７に示すように予め定めた一定の範囲内（制御部１２の内部に設けられたメモリ内に記憶されている値である基準値Ｔ１より高く、基準値Ｔ２よりも低い）であるとき、もしくは、浴槽１１へ往く循環水の往き温度Ｔｏ、または浴槽１１からの戻り温度Ｔｉの検出値が図８に示すように予め定めた一定の範囲内（制御部１２の内部に設けられたメモリ内に記憶されている値である基準値Ｔ３より高く、基準値Ｔ４よりも低い）であるとき、湯水が一定量以上循環していると判断し、ふろ燃焼を継続する。
【００３０】
そして、制御部１２は、ふろ燃焼中に浴槽１１からの戻り温度Ｔｉが設定温度に到達したか否かを判定し（ステップＳ３１７）、戻り温度Ｔｉが設定温度に到達していない場合にはステップＳ３１６に戻り、戻り温度Ｔｉが設定温度に到達した場合は、ふろ燃焼を停止し（ステップＳ３１８）、循環ポンプ６も停止させる（ステップＳ３１９）。
【００３１】
なお、上述した実施形態において、基準回転数、設定温度、図７に示す予め定めた一定の範囲の値、図８に示す予め定めた一定の値、図９に示す一定の値は、制御部１２内に設けられるメモリ内に記憶される場合について説明したが、これらの情報は、制御部１２内のメモリ以外の記憶領域、例えば、制御部１２の外部に設けられる記憶装置に記憶するようにしてもよい。
【００３２】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００３３】
【図１】本発明の一実施例である燃焼機器の構造を示すものである。
【図２】従来の―実施例である燃焼機器の構造を示すものである。
【図３】従来の燃焼機器のふろ燃焼のフローチャートである。
【図４】本発明の実施例である浴槽循環水の往きと戻りの温度差を用いて一定量以上の循環水の有無を判定するフローチャートを示すものである。
【図５】本発明の実施例である浴槽循環水の往き、または戻りの温度を用いて一定量以上の循環水の有無を判定するフローチャートを示すものである。
【図６】本発明の実施例である循環ポンプの回転数の検出値の振れ幅を用いて循環水の有無を判定し、浴槽循環水の往きと戻りの温度差、もしくは浴槽循環水の往き、または、戻りの温度を用いて一定量以上の循環水の有無を判定するフローチャートを示すものである。
【図７】本発明の実施例である浴槽循環水の往きと戻り差を用いて一定量以上の循環水の有無を判定する際の浴槽循環水の往きと戻り温度の差と時間の関係を示すものである。
【図８】本発明の実施例である浴槽循環水の往き、または戻り温度を用いて一定量以上の循環水の有無を判定する際の浴槽循環水の往き、または戻り温度と時間の関係を示すものである。
【図９】本発明の実施例である循環ポンプの回転数の検出値の振れ幅を用いて循環水の有無を判定する際の循環ポンプの回転数と時間の関係を示すものである。
【符号の説明】
【００３４】
１…燃焼機器本体、２…給水配管接続部、３…給湯配管接続部、４…熱交換器、
５…燃焼部、６…循環ポンプ、７…風呂往き配管接続部、８…風呂戻り配管接続部、９…往サーミスタ、１０…戻サーミスタ、１１…浴槽、１２…制御部、
１３…回転数検知センサ、１４…給水配管、１５…給湯配管、１６…循環往き配管、１７…循環戻り配管、１８…水流スイッチ、１９…風呂往き配管、
２０…風呂戻り配管
【図１】
2010156480.tif 000003
【図２】
2010156480.tif 000004
【図３】
2010156480.tif 000005
【図４】
2010156480.tif 000006
【図５】
2010156480.tif 000007
【図６】
2010156480.tif 000008
【図７】
2010156480.tif 000009
【図８】
2010156480.tif 000010
【図９】
2010156480.tif 000011